(57)【要約】【課題】ネットを絡むことなく下降させて収納することのできるネット昇降装置を提供する。【解決手段】溝部２には、基台１１ａ、昇降部１２ａ及び移動装置１３ａ１〜１３ａ３からなる昇降機４ａと、滑車８ａ，８ｂと、ワイヤリール９とが設けられている。一端が昇降部１２ａに接続されると共にネット５ａを縫うようにして下方に延びるワイヤ７ａは、他端が滑車８ａ，８ｂを介してワイヤリール９に巻き取られるようになっている。上端が昇降部１２ａに接続されたネット５ａは、下端が溝部２の内周面２ｂに接続されている。ネット５ａには、水平方向に延びる鋼鉄製の６つのチェーン６ａ１〜６ａ６が、上下方向に任意の間隔を空けて設けられている。溝部２を塞ぐことのできる蓋部２０が設けられている。蓋部２０の外表面は、蓋部２０が溝部２を塞いだときに、地面１ａと面一、かつ地面１ａと同様に人工芝となっている。【選択図】図３
2007037830.tif 000002
【特許請求の範囲】
【請求項１】
地面に対し下方にくぼんだ溝部と、
前記溝部に設けられ、上下方向に移動可能な昇降部を有する昇降機と、
上端が前記昇降部に接続されると共に下端が前記溝部の内周面上に接続されたネットと
を備え、
前記ネットには、水平方向に延びるおもり部材が上下方向に間隔を空けて設けられているネット昇降装置。
【請求項２】
一端が前記昇降部に接続されると共に前記ネットを縫うように下方に向かって延び、前記ネットに対して相対移動可能なワイヤと、
前記昇降部の下降に連動するように、前記ワイヤの他端を巻き取る巻取部と
を備える請求項１に記載のネット昇降装置。
【請求項３】
前記溝部を塞ぐ蓋部を備え、
前記蓋部が前記溝部を塞いだときに、前記蓋部の外表面は、前記地面と面一になっている請求項１または２に記載のネット昇降装置。
【発明の詳細な説明】
【技術分野】
【０００１】
この発明は、ネット昇降装置に係り、特に、球技のみならず球技以外にも利用される多目的の競技場において、競技場を利用する場合のみ、ボール等が競技場外部に飛び出さないように、競技場の外周にネットを設けるための装置に関する。
【背景技術】
【０００２】
通常、競技場の外周には、球技のボールが競技場外部に飛び出さないように、ネットが設けられている。しかし、競技場の場所によっては、ネットを支持する柱や壁等が設けられない場合や、外観上の問題でそれらを設けたくない場合がある。このような場合には、球技を行うときのみネットを上昇させて、競技場の外周にネットを設けることのできるネット昇降装置が使用される。このようなネット昇降装置が、例えば特許文献１に記載されている。ネットを下降させたときにネット昇降装置全体が競技場のコート面よりも下方に位置するように、競技場のコート面に対して下方にくぼんだスライドガイドを設け、スライドガイド内にこのネット昇降装置を設ける必要がある。
【０００３】
【特許文献１】特開２０００−２４５８８４号公報
【発明の開示】
【発明が解決しようとする課題】
【０００４】
しかしながら、特許文献１に記載されているネット昇降装置を下降させてネットをスライドガイドに収納させるとネットが絡まってしまうことがあり、この状態でネットを上昇させるとネットを破損してしまうという問題点があった。
【０００５】
この発明は、このような問題点を解決するためになされたもので、ネットを絡むことなく下降させて収納することのできるネット昇降装置を提供することを目的とする。
【課題を解決するための手段】
【０００６】
この発明に係るネット昇降装置は、地面に対し下方にくぼんだ溝部と、溝部に設けられ、上下方向に移動可能な昇降部を有する昇降機と、上端が昇降部に接続されると共に下端が溝部の内周面上に接続されたネットとを備え、ネットには、水平方向に延びるおもり部材が上下方向に間隔を空けて設けられている。
一端が昇降部に接続されると共にネットを縫うように下方に向かって延び、ネットに対して相対移動可能なワイヤと、昇降部の下降に連動するように、ワイヤの他端を巻き取る巻取部とを備えてもよい。
溝部を塞ぐ蓋部を備え、
蓋部が溝部を塞いだときに、蓋部の外表面は、地面と面一になっていてもよい。
【発明の効果】
【０００７】
この発明によれば、地面に形成された溝部の内部に、上下方向に移動可能な昇降部を有する昇降機を設け、上端が昇降部に接続されると共に下端が溝部の内周面上に接続されたネットに、水平方向に延びるおもり部材を上下方向に間隔を空けて設けることにより、ネットを下降させた場合におもり部材間のネットが折り畳まれるようにして溝部の内部に収納されるので、ネットを絡むことなく下降させて溝部の内部に収納することができる。
【発明を実施するための最良の形態】
【０００８】
以下、この発明の実施の形態を添付図面に基づいて説明する。
この実施の形態に係るネット昇降装置を設けた競技場を図１に示す。図１（ａ）には、競技場であるテニスコート１が記載されている。テニスコート１の人工芝の地面１ａには、テニスコート１の全周を取り囲むように、下方にくぼんだ溝部２が形成されている。溝部２には、ネット昇降装置３が設置されている。図１（ｂ）にはテニスコート１の正面側から見たネット昇降装置３が示されている。ネット昇降装置３は、昇降機４ａ及びネット５ａを備えている。図１（ｃ）にはテニスコート１の側面側から見たネット昇降装置３が示されている。ネット昇降装置３は、昇降機４ｂ及びネット５ｂを備えている。尚、ネット５ａ，５ｂは、実際には昇降機４ａ，４ｂの全面に設けられているが、図１（ｂ）及び（ｃ）には、後述する移動装置１３ａ１〜１３ａ３及び１３ｂを描くために、便宜上ネット５ａ，５ｂの一部のみを記載している。
【０００９】
次に、ネット昇降装置３の構造について説明する。図２には、テニスコート１の正面側から見たネット昇降装置３の一部が示されている。昇降機４ａは、溝部２の底部２ａに溝部２に沿って設けられた基台１１ａと、基台１１ａに対して平行に設けられた昇降部１２ａと、昇降部１２ａを基台１１ａに対して平行な関係を維持しながら上下方向に移動させる複数の移動装置１３ａ１，１３ａ２，１３ａ３（ただし、１３ａ３は図１（ｂ）を参照）とを備えている。移動装置１３ａ１は、一端が基台１１ａに回動可能に固定されると共に他端が昇降部１２ａに沿ってスライド可能なリンク１４ａと、一端が昇降部１２ａに回動可能に固定されると共に他端が基台１１ａに沿ってスライド可能なリンク１４ｂとが、それぞれの中央部分で回動可能に交差して組み合わされている。また、移動装置１３ａ１には、油圧シリンダー１４ｃが設けられている。油圧シリンダー１４ｃは複動型であり、プランジャー１４ｃ１及びシリンダー１４ｃ２から構成されている。プランジャー１４ｃ１の先端はリンク１４ｂに連結され、シリンダー１４ｃ２の尾端はリンク１４ａに連結されている。移動装置１３ａ３も、これと同様の構造である。移動装置１３ａ２は、一端が基台１１ａに回動可能に固定されると共に他端が昇降部１２ａに沿ってスライド可能なリンク１５ａと、一端が昇降部１２ａに回動可能に固定されると共に他端がリンク１５ａの中央部分に回動可能に固定されたリンク１５ｂとから構成されている。移動装置１３ａ２には、油圧シリンダー１４ｃと同じ構造の油圧シリンダー１５ｃが設けられており、プランジャー１５ｃ１の先端はリンク１５ｂに連結され、シリンダー１５ｃ２の尾端はリンク１５ａに連結されている。さらに、昇降機４ａには、水平方向に延びる連結バー１６が設けられ、連結バー１６は、移動装置１３ａ１〜１３ａ３のそれぞれを構成する２つのリンクの交差部分に連結している。
また、昇降機４ｂも、溝部２の底部２ａに溝部２に沿って設けられた基台１１ｂと、基台１１ｂに対して平行に設けられた昇降部１２ｂと、昇降部１２ｂを基台１１ｂに対して平行な関係を維持しながら上下方向に移動させる移動装置１３ｂとを備えている。移動装置１３ｂの構造は、移動装置１３ａ１と同じである。
【００１０】
昇降機４ａには、上端が昇降部１２ａに接続すると共に下端が溝部２の内周面２ｂに接続するように、ネット５ａが設けられている。これにより、昇降機４ａの全面、すなわちテニスコート１の正面全体にネット５ａが設けられるようになる。また、昇降機４ｂにも、上端が昇降部１２ｂに接続すると共に下端が溝部２の内周面２ｂに接続するように、ネット５ｂが設けられている。これにより、昇降機４ｂの全面、すなわちテニスコート１の側面全体にネット５ｂが設けられるようになる。したがって、テニスコート１の全周を取り囲むように、ネット５ａ，５ｂが設けられるようになる。
ネット５ａ，５ｂにはそれぞれ、鋼鉄製のリングが繋がって水平方向に延びた６つのチェーン６ａ１,６ａ２,６ａ３，６ａ４，６ａ５，６ａ６及び同じ６つのチェーン６ｂ１，６ｂ２，６ｂ３，６ｂ４，６ｂ５，６ｂ６が、上下方向に任意の間隔を空けて設けられている。ここで、チェーン６ａ１〜６ａ６及び６ｂ１〜６ｂ６は、おもり部材を構成する。また、一端が昇降部１２ａに接続された複数のワイヤ７ａが、任意の間隔をおいて、ネット５ａの網目に絡むように下方に延びている。すなわち、ワイヤ７ａは、ネット５ａの網目を縫うようにして、網目の上面側及び下面側をかわるがわる通って下方に延び、ネット５ａに対して相対移動可能になっている。ワイヤ７ａの他端は、溝部２内に設けられた滑車８ａを介して、後述するワイヤリール９（図３参照）に巻き取られるようになっている。また、ネット５ｂには、一端が昇降部１２ｂに接続された１本のワイヤ７ｂ（図１（ｃ）参照）が、ワイヤ７ａと同様に設けられている。
尚、図２においても、図１（ｂ）及び（ｃ）と同様の理由により、便宜上ネット５ａ，５ｂの一部のみを記載している。
【００１１】
図３には、昇降機４ａの側面図が示されている。溝部２の底部２ａには、基台１１ａに対してネット５ａと同じ側に滑車８ａが設けられ、基台１１ａに対してネット５ａと反対側に滑車８ｂが設けられている。さらに、滑車８ｂと隣り合うように、ワイヤリール９が設けられている。一端が昇降部１２ａに接続されたワイヤ７ａは、鉛直方向に対して傾斜を有しながら、下方に向かって真っ直ぐに伸びている。ワイヤ７ａの他端は、滑車８ａ，８ｂによって方向を変えられて、ワイヤリール９に巻き取られるようになっている。上端が昇降部１２ａに接続されたネット５ａは、ワイヤ７ａと同じように、鉛直方向に対して傾斜を有しながら、下方に向かって真っ直ぐに伸びている。ネット５ａの下端は、地面１ａ付近でワイヤ７ａから離れて下に凸の曲線を描くようにして、溝部２の内周面２ｂに接続されている。ここで、滑車８ａ，８ｂ及びワイヤリール９は、巻取部を構成する。
また、溝部２には、溝部２を塞ぐことのできる蓋部２０が設けられている。蓋部２０は、その一端である取付端２１が、溝部２の内周面２ｂに設けられた取付板２５に回動可能に取り付けられている。さらに、蓋部２０と溝部２の内周面２ｂとは、油圧シリンダー２２によって連結されている。油圧シリンダー２２は複動型であり、プランジャー２４及びシリンダー２３から構成されている。プランジャー２４の先端は、蓋部２０の内表面２０ｂの取付端２１付近に設けられた取付部２６に連結され、シリンダー２３の尾端は取付片２７を介して溝部２の内周面２ｂに連結されている。蓋部２０の外表面２０ａは、蓋部２０が溝部２を塞いだときに地面１ａと面一となるようになっており、さらに地面１ａと同じように人口芝となっている。これにより、蓋部２０が溝部２を塞いだときに、蓋部２０が地面１ａの一部となり、フラットな地面を構成するようになっている。
尚、図３には、昇降機４ａの側面図を示したが、昇降機４ｂの側面図も同様の構造となっている。
【００１２】
次に、この実施の形態に係るネット昇降装置の動作を説明する。
テニスコート１（図１（ａ）参照）においてテニスのプレイ中、テニスコート１の四方は、図３に示されるようにネット５ａ，５ｂが設けられた状態になっている。テニスの終了後、テニスコート１の四方に設けられたネット５ａ，５ｂを溝部２内に収納する。
図２に示される移動装置１３ａ１は、リンク１４ａ，１４ｂが回動することにより、つぶれたアルファベットｘの状態になっていく。これと同時に移動装置１３ａ３（図１（ｃ）参照）も同様の動作を行い、また、移動装置１３ａ２は、リンク１５ａ，１５ｂが回動することにより、つぶれたアルファベットｙの状態になっていく。その結果、図４に示されるように、昇降部１２ａは、基台１１ａと平行の状態を維持しながら下降する。昇降部１２の下降動作に連動するように、ワイヤリール９がワイヤ７ａの巻き取りを行い、昇降部１２ａ及び滑車８ａ間において、ワイヤ７ａは真っ直ぐに伸びた状態が維持される。昇降部１２ａが下降すると、巻き取られるワイヤ７ａに引っ張られて、ネット５ａの下端部付近が溝部２の内部に引き込まれる。
ワイヤ７ａの巻き取りと共にネット５ａが下降すると、６つのチェーン６ａ１〜６ａ６も一緒に下降し、これらのうちの最も下にあるチェーン６ａ６は、滑車８ａに絡まらずに滑車８の直前で移動を停止する。さらにネット５ａが下降すると、チェーン６ａ６は移動しないものの、残りの５つのチェーン６ａ１〜６ａ５は下降し続けるので、チェーン６ａ５，６ａ６間の間隔が小さくなり、これによりネット５ａのたわみ部３１が形成される。
【００１３】
さらにネット５ａが下降し続けると、図５に示されるように、チェーン６ａ５はチェーン６ａ６と接する位置で移動を停止する。これにより、チェーン６ａ５，６ａ６間に形成されていたネット５ａのたわみ部３１（図４参照）は、２つに折り畳まれた状態の折り畳み部４１となる。なおもネット５ａが下降し続けると、チェーン６ａ４，６ａ５間に、ネット５ａのたわみ部３２が形成される。
このような動作が繰り返され、昇降部１２ａが最下点まで下降すると、図６に示されるように、６つのチェーン６ａ１〜６ａ６が全て接する状態になり、それぞれのチェーン間に折り畳み部４１，４２，４３，４４，４５が形成されて、ネット５ａが溝部２内にきれいに折り畳まれた状態で収納される。すなわち、ネット５ａが絡むことなく下降して溝部２内に収納される。したがって、再びネット５ａを設けるために昇降部１２ａを上昇すると、６つのチェーン６ａ１〜６ａ６が順次上昇し、これにより、畳部４５〜４１が順次引き伸ばされるようになるので、ネット５ａは損傷することなく設けられることになる。
【００１４】
昇降部１２ａの最下点は地面１ａよりも下方であるため、ネット５ａが溝部２内に収納された後、図７に示されるように、蓋部２０を閉めて溝部２を塞ぐことができる。これにより、蓋部２０の外表面２０ａはテニスコートの地面１ａの一部を構成するようになる。
尚、図３〜７については、ネット５ａの動作を表すものであるが、ネット５ｂの動作についても同様である。
【００１５】
このように、ネット５ａ，５ｂにはそれぞれ、水平方向に延びるチェーン６ａ１〜６ａ６及び６ｂ１〜６ｂ６が上下方向に間隔を空けて設けられており、ネット５ａ，５ｂが下降する際、隣り合うチェーン間においてネットが２つに折り畳まれるので、ネット５ａ，５ｂを絡むことなく溝部２内に収納することができる。
また、溝部２を塞ぐ蓋部２０が設けられ、蓋部２０の外表面２０ａは、地面１ａと面一かつ同様の処理が施されているので、蓋部２０が溝部２を塞いだときに、蓋部２０の外表面２０ａは地面１ａの一部を構成することができる。
【００１６】
この実施の形態では、おもり部材に水平方向に延びる鋼鉄製のチェーン６ａ１〜６ａ６及び６ｂ１〜６ｂ６を使用したが、これに限定するものではない。水平方向に延びる鋼鉄製のワイヤでもよく、ネットに比べて十分重いものであれば、鋼鉄製には限定されない。また、水平方向に連続して延びる必要もなく、水平方向に任意の間隔を置いて、複数のおもり部材を配置するようにしてもよい。
また、この実施の形態では、競技場としてテニスコートを例にして説明を行ったが、テニスコートに限定するものではない。サッカーやバレーボール等の任意の球技を行う競技場であってもよい。したがって、競技場の周囲に設けられるネットは、実施の形態のように四角形である必要もなく、競技場の形態にあわせ、円や楕円等、様々な形状を構成するようにネット昇降装置を構成してもよい。さらに、蓋部２０の外表面２０ａは人工芝にすることに限定されず、競技場の地面と同じ処理を施してもよい。また、競技場に限定するものではなく、外部に物が飛び出すおそれのある施設に対して、その物が飛び出さないようにするために、このネット昇降装置を設けることもできる。
【図面の簡単な説明】
【００１７】
【図１】この発明の実施の形態に係るネット昇降装置及びこのネット昇降装置を設けたテニスコートの全体図である。
【図２】この実施の形態に係るネット昇降装置の正面側の一部を表す正面図である。
【図３】この実施の形態に係るネット昇降装置の側面図である。
【図４】この実施の形態に係るネット昇降装置の動作を説明するための側面図である。
【図５】この実施の形態に係るネット昇降装置の動作を説明するための側面図である。
【図６】この実施の形態に係るネット昇降装置の動作を説明するための側面図である。
【図７】この実施の形態に係るネット昇降装置の動作を説明するための側面図である。
【符号の説明】
【００１８】
１ａ  地面、２  溝部、２ｂ  （溝部２の）内周面、４ａ，４ｂ  昇降機、５ａ，５ｂ  ネット、６ａ１〜６ａ６，６ｂ１〜６ｂ６  チェーン（おもり部材）、７ａ，７ｂ  ワイヤ、８ａ，８ｂ  滑車（巻取部)、９  ワイヤリール（巻取部）、１２ａ，１２ｂ  昇降部、２０  蓋部、２０ａ  （蓋部２０の）外表面。
【図１】
2007037830.tif 000003
【図２】
2007037830.tif 000004
【図３】
2007037830.tif 000005
【図４】
2007037830.tif 000006
【図５】
2007037830.tif 000007
【図６】
2007037830.tif 000008
【図７】
2007037830.tif 000009